(57)【要約】【課題】  レンズ鏡筒の直進案内機構における、可動要素に対する直進案内精度の向上と駆動時の抵抗軽減を図る。【解決手段】  第１の光学要素を支持する外側可動環；この外側可動環の径方向内側に位置し、第２の光学要素を支持した内側可動環；外側可動環を光軸方向に直進案内する第１の直進案内環；内側可動環を光軸方向に直進案内する第２の直進案内環；及び、第１と第２の直進案内環がそれぞれ摺動可能に係合する光軸と平行な直進案内部を内周面に有する回転不能な共用直進案内環；を備えたことを特徴とするレンズ鏡筒の直進案内機構。【選択図】  図２０
2004258636.tif 000002
【特許請求の範囲】
【請求項１】
第１の光学要素を支持する外側可動環；
この外側可動環の径方向内側に位置し、第２の光学要素を支持した内側可動環；
上記外側可動環を光軸方向に直進案内する第１の直進案内環；
上記内側可動環を光軸方向に直進案内する第２の直進案内環；及び
上記第１と第２の直進案内環がそれぞれ摺動可能に係合する光軸と平行な直進案内部を内周面に有する回転不能な共用直進案内環；
を備えたことを特徴とするレンズ鏡筒の直進案内機構。
【請求項２】
請求項１記載のレンズ鏡筒の直進案内機構において、上記第１の直進案内環は外側可動環の径方向外側に位置し、上記共用直進案内環は第１の直進案内環の径方向外側に位置しているレンズ鏡筒の直進案内機構。
【請求項３】
請求項１または２記載のレンズ鏡筒の直進案内機構において、上記共用直進案内環は、第１の直進案内環と第２の直進案内環が個別に係合する少なくとも一対の直進案内部を備えているレンズ鏡筒の直進案内機構。
【請求項４】
請求項３記載のレンズ鏡筒の直進案内機構において、上記第１の直進案内環は外径方向に突出する少なくとも一つの第１の直進案内突起を備え、第２の直進案内環は外径方向に突出する少なくとも一つの第２の直進案内突起を備え、
上記共用直進案内環の直進案内部は、第１の直進案内環の直進案内突起が摺動可能に係合する光軸と平行な第１の直進案内溝と、第２の直進案内環の直進案内突起が摺動可能に係合する光軸と平行な第２の直進案内溝をそれぞれ少なくとも一つ備えているレンズ鏡筒の直進案内機構。
【請求項５】
請求項４記載のレンズ鏡筒の直進案内機構において、上記第１の直進案内溝と第２の直進案内溝はそれぞれ周方向に位置を異ならせて複数設けられているレンズ鏡筒の直進案内機構。
【請求項６】
請求項４または５記載のレンズ鏡筒の直進案内機構において、第１の直進案内溝と第２の直進案内溝の一方は、他方を挟む周方向の両側位置に一対設けられているレンズ鏡筒の直進案内機構。
【請求項７】
請求項６記載のレンズ鏡筒の直進案内機構において、上記第１の直進案内突起と第２の直進案内突起の一方は、上記一対の直進案内溝に対して、他方の直進案内溝を跨いで同時に係合しているレンズ鏡筒の直進案内機構。
【請求項８】
請求項１ないし７のいずれか１項に記載のレンズ鏡筒の直進案内機構において、上記第１の直進案内環は、光軸と平行な少なくとも一つの直進案内溝を内周面に有し、外側可動環は、この直進案内溝に対して摺動可能に係合する少なくとも一つの直進案内突起を外周面に有しているレンズ鏡筒の直進案内機構。
【請求項９】
請求項１ないし８のいずれか１項に記載のレンズ鏡筒の直進案内機構において、上記第２の直進案内環は、光軸と平行な方向に延出された少なくとも一つの直進案内キーを有し、内側可動環は、この直進案内キーが摺動可能に係合する少なくとも一つの直進案内溝を有しているレンズ鏡筒の直進案内機構。
【請求項１０】
請求項１ないし９のいずれか１項に記載のレンズ鏡筒の直進案内機構において、さらに外周面と内周面の両方にそれぞれ少なくとも一つのカム溝を有する両面カム環を有し、
上記外側可動環は両面カム環の径方向外側に位置し、該両面カム環の外面カム溝に係合する少なくとも一つのカムフォロアを有し、
上記内側可動環は該カム環の径方向内側に位置し、該両面カム環の内面カム溝に係合する少なくとも一つのカムフォロアを有しているレンズ鏡筒の直進案内機構。
【請求項１１】
請求項１０記載のレンズ鏡筒の直進案内機構において、上記第２の直進案内環は、上記両面カム環の光軸方向後端部に相対回転可能かつ光軸方向へ相対移動不能に支持されるリング部を有しているレンズ鏡筒の直進案内機構。
【請求項１２】
請求項１ないし１１のいずれか１項に記載のレンズ鏡筒の直進案内機構において、移動しない固定環を備え、上記共用直進案内環は、該固定環により光軸方向に直進移動可能に支持されているレンズ鏡筒の直進案内機構。
【請求項１３】
請求項１０ないし１２のいずれか１項に記載のレンズ鏡筒の直進案内機構において、上記外側可動環が支持する第１の光学要素と上記内側可動環が支持する第２の光学要素はそれぞれ可動レンズ群であり、両面カム環の回転に応じて該第１と第２の可動レンズ群が光軸方向に所定の軌跡で移動するレンズ鏡筒の直進案内機構。
【請求項１４】
外周面と内周面の両方にカム溝を有する両面カム環；
上記両面カム環の径方向外側に位置し該両面カム環の外周面のカム溝に係合するカムフォロアを有する、第１の光学要素を支持した外側可動環；
上記両面カム環の径方向内側に位置し該両面カム環の内周面のカム溝に係合するカムフォロアを有する、第２の光学要素を支持した内側可動環；
上記両面カム環の径方向外側に位置し、光軸と平行な直進案内部を内周面に有する回転不能な共用直進案内環；及び
この共用直進案内環の直進案内部によってそれぞれが直接に光軸方向に直進案内され、それぞれが上記外側可動環と内側可動環を個別に光軸方向へ直進案内する第１と第２の直進案内伝達部材；
を備えたことを特徴とするレンズ鏡筒の直進案内機構。
【発明の詳細な説明】
【技術分野】
【０００１】
本発明は、レンズ鏡筒における直進案内機構に関する。
【背景技術】
【０００２】
レンズ鏡筒において、光軸方向へ直進案内される２つ以上の部材を有する場合、その直進案内構造は一般に直進案内用の部材を単一の経路で順番に受け継いでいくようになっている。例えば、外周面と内周面の両方に設けたカム溝によって外径側と内径側の可動要素を個別に移動させる両面カム環が知られている。この種のカム繰出装置では、外径側と内径側の可動要素はそれぞれ両面カム環の回転軸と平行な方向へ直進案内されているが、直進案内される側の可動要素はカム環の外径側と内径側に位置しているのに対し、直進案内を行う側の部材（以下、直進案内部材）はカム環の外径側に位置している。このような場合に、従来では基準となる直進案内部材が外径側の可動要素を直進案内し、外径側の可動要素が内径側の可動要素を直進案内するという単一経路の直進案内構造がとられていた。
【発明の開示】
【発明が解決しようとする課題】
【０００３】
以上のような単一経路の直進案内構造では、直進移動される２つの可動要素（例えば、上記の両面カム環を用いた例では、カム環外径側の可動要素と内径側の可動要素）の間における相対移動スピードが速い場合に、直進案内のための抵抗が大きくなるおそれがあった。特に、可動要素を進退させる駆動力がカム環のような回転部材によって与えられる場合に、直進案内部での抵抗が大きくなりやすい。また、単一経路の直進案内構造では、直進案内の基本となる部材に対して間接的に（他の直進することが難しかった。したがって本発明は、レンズ鏡筒の直進案内機構において、可動要素に対する直進案内精度の向上と駆動時の抵抗軽減を図ることを目的とする。
【課題を解決するための手段】
【０００４】
本発明のレンズ鏡筒の直進案内機構は、第１の光学要素を支持する外側可動環；この外側可動環の径方向内側に位置し、第２の光学要素を支持した内側可動環；外側可動環を光軸方向に直進案内する第１の直進案内環；内側可動環を光軸方向に直進案内する第２の直進案内環；及び、第１と第２の直進案内環がそれぞれ摺動可能に係合する光軸と平行な直進案内部を内周面に有する回転不能な共用直進案内環；を備えたことを特徴としている。
【０００５】
第１の直進案内環は外側可動環よりも径方向外側に位置し、共用直進案内環は第１の直進案内環よりも径方向外側に位置しているとよい。
【０００６】
共用直進案内環は、第１の直進案内環と第２の直進案内環が個別に係合する少なくとも一対の直進案内部を備えていることが好ましい。具体的には、第１の直進案内環と第２の直進案内環はそれぞれ外径方向に突出する少なくとも一つの直進案内突起（第１と第２の直進案内突起）を備え、共用直進案内環の直進案内部には、これらの直進案内突起がそれぞれ摺動可能に係合する光軸と平行な第１と第２の直進案内溝を形成するとよい。この第１の直進案内溝と第２の直進案内溝はそれぞれ周方向に位置を異ならせて複数設けられることが好ましい。
【０００７】
第１の直進案内溝と第２の直進案内溝の一方は、他方を挟む周方向の両側位置に一対設けられていることが好ましい。この場合、第１の直進案内突起と第２の直進案内突起のうち一方は、この一対の直進案内溝に対して、他方の直進案内溝を跨いで同時に係合するように形成されていることが好ましい。
【０００８】
第１の直進案内環は、光軸と平行な少なくとも一つの直進案内溝を内周面に有し、外側可動環は、この直進案内溝に対して摺動可能に係合する少なくとも一つの直進案内突起を外周面に有することが好ましい。
【０００９】
また、第２の直進案内環は、光軸と平行な方向に延出された少なくとも一つの直進案内キーを有し、内側可動環は、この直進案内キーが摺動可能に係合する少なくとも一つの直進案内溝を有していることが好ましい。
【００１０】
本発明は、外周面と内周面の両方にそれぞれ少なくとも一つのカム溝を有する両面カム環を有するレンズ鏡筒に適用することが好ましい。この場合、外側可動環は両面カム環の径方向外側に位置し、該両面カム環の外面カム溝に係合する少なくとも一つのカムフォロアを有し、内側可動環は該カム環の径方向内側に位置し、該両面カム環の内面カム溝に係合する少なくとも一つのカムフォロアを有していることが好ましい。この場合、第２の直進案内環は、両面カム環の光軸方向後端部に相対回転可能かつ光軸方向へ相対移動不能に支持されるリング部を有していることが好ましい。
【００１１】
共用直進案内環は、それ自身が固定環に対して光軸方向に直進移動可能に支持されていてもよい。
【００１２】
本発明は、例えば、外側可動環が支持する第１の光学要素と内側可動環が支持する第２の光学要素がそれぞれ可動レンズ群であるズームレンズ鏡筒に好適である。
【００１３】
本発明はまた、外周面と内周面の両方にカム溝を有する両面カム環；この両面カム環の径方向外側に位置し該両面カム環の外周面のカム溝に係合するカムフォロアを有する、第１の光学要素を支持した外側可動環；両面カム環の径方向内側に位置し該両面カム環の内周面のカム溝に係合するカムフォロアを有する、第２の光学要素を支持した内側可動環；両面カム環の径方向外側に位置し、光軸と平行な直進案内部を内周面に有する回転不能な共用直進案内環；及び、この共用直進案内環の直進案内部によってそれぞれが直接に光軸方向に直進案内され、それぞれが上記外側可動環と内側可動環を個別に光軸方向へ直進案内する第１と第２の直進案内伝達部材を備えたことを特徴としている。
【発明の効果】
【００１４】
以上のように本発明によれば、複数の可動要素を有するレンズ鏡筒において、可動要素に対する直進案内精度の向上と駆動時の抵抗軽減を達成することができる。
【発明を実施するための最良の形態】
【００１５】
以下、図示実施形態に基づき本発明を説明する。なお、部材を識別しやすくするために、一部の図面では部材毎に外形線の太さを異ならせたり、線種を異ならせている。また断面図中には、実際には周方向の異なる位置にあるが、作図上、同一断面上に表している箇所もある。
【００１６】
［ズームレンズ鏡筒の全体の説明］
まず、図１ないし図１９について、本実施形態のズームレンズ鏡筒７１の全体構造を説明する。図６及び図７に示すように、ズームレンズ鏡筒７１はデジタルカメラ７０に搭載されており、撮影光学系は、物体側から順に、第１レンズ群ＬＧ１、シャッタＳ及び絞りＡ、第２レンズ群ＬＧ２、第３レンズ群ＬＧ３、ローパスフィルタ（フィルタ類）ＬＧ４及びＣＣＤ（固体撮像素子）６０からなっている。撮影光学系の光軸はＺ１である。この撮影光軸Ｚ１は、ズームレンズ鏡筒７１の外観を構成する各環状部材の回動中心軸（以下、鏡筒中心軸Ｚ０と呼ぶ）と平行であり、かつ該鏡筒中心軸Ｚ０に対して下方に偏心している。ズーミングは、第１レンズ群ＬＧ１と第２レンズ群ＬＧ２を撮影光軸Ｚ１方向に所定の軌跡で進退させることによって行い、フォーカシングは同方向への第３レンズ群ＬＧ３の移動で行う。なお、以下の説明中で「光軸方向」という記載は、特に断りがなければ撮影光軸Ｚ１と平行な方向を意味している。
【００１７】
図６及び図７に示すように、カメラボディ７２内に固定環２２が固定され、この固定環２２の後部にＣＣＤホルダ２１が固定されている。ＣＣＤホルダ２１上にはＣＣＤベース板６２を介してＣＣＤ６０が支持され、ＣＣＤ６０の前部に、フィルタホルダ７３とパッキン６１を介してローパスフィルタＬＧ４が支持されている。フィルタホルダ７３は、ＣＣＤホルダ２１の一部として一体に形成されている。ＣＣＤホルダ２１の後部には、画像や撮影情報を表示するＬＣＤ２０が設けられている。
【００１８】
固定環２２内には、第３レンズ群ＬＧ３を保持するＡＦレンズ枠（３群レンズ枠）５１が光軸方向に直進移動可能に支持されている。すなわち、固定環２２とＣＣＤホルダ２１には、撮影光軸Ｚ１と平行な一対のＡＦガイド軸５２、５３の前端部と後端部がそれぞれ固定されており、このＡＦガイド軸５２、５３に対してそれぞれ、ＡＦレンズ枠５１に形成したガイド孔５１ａ、５１ｂが摺動可能に嵌まっている。本実施形態では、ＡＦガイド軸５２とガイド孔５１ａのクリアランスよりもＡＦガイド軸５３とガイド孔５１ｂのクリアランス大きくなっている。すなわち、ＡＦガイド軸５２が主たる（厳密な精度を出す）ガイド軸で、ＡＦガイド軸５３はサブ（回り止め）のガイド軸である。また、ＡＦモータ１６０のドライブシャフトに形成した送りねじに対し、ＡＦナット５４が螺合している。図１に示すように、ＡＦナット５４は回転規制突起５４ａを有し、ＡＦレンズ枠５１は光軸方向へのガイド溝５１ｍを有し、回転規制突起５４ａがガイド溝５１ｍに対して摺動可能に嵌まっている。ＡＦレンズ枠５１はさらに、ＡＦナット５４の後方に位置するストッパ突起５１ｎを有する。ＡＦレンズ枠５１は、ＡＦ枠付勢ばね５５によって前方へ付勢されており、ストッパ突起５１ｎがＡＦナット５４に当て付くことによってＡＦレンズ枠５１の前方移動端が決定される。そしてＡＦナット５４が光軸方向後方へ移動したときに、ＡＦレンズ枠５１はＡＦナット５４に押圧されて後方へ移動される。以上の構造により、ＡＦモータ１６０のドライブシャフトを正逆に回転させると、ＡＦレンズ枠５１が光軸方向に進退される。なお、ＡＦレンズ枠５１を直接に（ＡＦナット５４によらずに）押圧して、ＡＦ枠付勢ばね５５に抗して後方へ移動させることも可能である。
【００１９】
図５に示すように、固定環２２の上部には、ズームモータ１５０と減速ギヤボックス７４が支持されている。減速ギヤボックス７４は内部に減速ギヤ列を有し、ズームモータ１５０の駆動力をズームギヤ２８に伝える。ズームギヤ２８は、撮影光軸Ｚ１と平行なズームギヤ軸２９によって固定環２２に枢着されている。ズームモータ１５０とＡＦモータ１６０は、固定環２２の外周面に配設したレンズ駆動制御ＦＰＣ（フレキシブルプリント回路）基板７５を介して、カメラの制御回路１４０（図１９）により制御される。
【００２０】
固定環２２の内周面には、雌ヘリコイド２２ａ、撮影光軸Ｚ１と平行な３本の直進案内溝２２ｂ、雌ヘリコイド２２ａと平行な３本の斜行溝２２ｃ、及び各斜行溝２２ｃの前端部に連通する周方向への回転摺動溝２２ｄが形成されている。回転摺動溝２２ｄは固定環２２の前端部付近に形成され、この回転摺動溝２２ｄの直後の前方環状領域２２ｚには雌ヘリコイド２２ａが形成されていない（図８参照）。
【００２１】
ヘリコイド環１８は、雌ヘリコイド２２ａに螺合する雄ヘリコイド１８ａと、斜行溝２２ｃ及び回転摺動溝２２ｄ内に位置される回転摺動突起１８ｂとを外周面に有している（図４、図９）。雄ヘリコイド１８ａ上には、撮影光軸Ｚ１と平行なギヤ歯を有するスパーギヤ部１８ｃが形成されており、スパーギヤ部１８ｃはズームギヤ２８に対して螺合する。従って、ズームギヤ２８からスパーギヤ部１８ｃへ回転力が与えられたとき、ヘリコイド環１８は、雌ヘリコイド２２ａと雄ヘリコイド１８ａが螺合関係にある状態では回転しながら光軸方向へ進退し、ある程度前方に移動すると、雄ヘリコイド１８ａが雌ヘリコイド２２ａから外れ、回転摺動溝２２ｄと回転摺動突起１８ｂの係合関係によって鏡筒中心軸Ｚ０を中心とする周方向回転のみを行う。
【００２２】
斜行溝２２ｃは、雌ヘリコイド２２ａと雄ヘリコイド１８ａが螺合する段階で回転摺動突起１８ｂと固定環２２の干渉を避けるために形成された逃げ溝であり、斜行溝２２ｃは雌ヘリコイド２２ａの底部よりも深くなっている。雌ヘリコイド２２ａは、各斜行溝２２ｃを挟む一対のヘリコイド山の周方向間隔が他のヘリコイド山の周方向間隔よりも広くなっており、雄ヘリコイド１８ａは、この周方向間隔の広いヘリコイド山に係合するべく、回転摺動突起１８ｂの後方に位置する３つのヘリコイド山１８ａ-Ｗが他のヘリコイド山よりも周方向に幅広になっている。
【００２３】
固定環２２にはさらに、その外周面と回転摺動溝２２ｄとを貫通するストッパ挿脱孔２２ｅが形成され、このストッパ挿脱孔２２ｅに対し、撮影領域を越えるヘリコイド環１８の回動を規制するための分解ストッパ２６が着脱可能となっている。
【００２４】
ヘリコイド環１８の前端部内周面に形成した回転伝達凹部１８ｄ（図４、図１０）に対し、第３外筒１５の後端部から後方に突設した回転伝達突起１５ａ（図１１）が嵌入されている。回転伝達凹部１８ｄと回転伝達突起１５ａはそれぞれ、周方向に位置を異ならせて３箇所設けられており、周方向位置が対応するそれぞれの回転伝達突起１５ａと回転伝達凹部１８ｄは、鏡筒中心軸Ｚ０に沿う方向への相対摺動は可能に結合し、該鏡筒中心軸Ｚ０を中心とする周方向には相対回動不能に結合されている。すなわち、第３外筒１５とヘリコイド環１８は一体に回転する。また、ヘリコイド環１８には、回転摺動突起１８ｂの内径側の一部領域を切り欠いて嵌合凹部１８ｅが形成されており、該嵌合凹部１８ｅに嵌合する嵌合突起１５ｂは、回転摺動突起１８ｂが回転摺動溝２２ｄに係合するとき、同時に回転摺動溝２２ｄに係合する（図６の鏡ズームレンズ鏡筒上半断面参照）。
【００２５】
第３外筒１５とヘリコイド環１８の間には、互いを光軸方向上での離間方向へ付勢する３つの離間方向付勢ばね２５が設けられている。離間方向付勢ばね２５は圧縮コイルばねからなり、その後端部がヘリコイド環１８の前端部に開口するばね挿入凹部１８ｆに収納され、前端部が第３外筒１５のばね当付凹部１５ｃに当接している。この離間方向付勢ばね２５によって、回転摺動溝２２ｄの前側壁面に向けて嵌合突起１５ｂを押圧し、かつ回転摺動溝２２ｄの後側壁面に向けて回転摺動突起１８ｂを押圧することで、固定環２２に対する第３外筒１５とヘリコイド環１８の光軸方向のバックラッシュが除去される。
【００２６】
第３外筒１５の内周面には、内径方向に突設された爪状の相対回動案内突起１５ｄと、鏡筒中心軸Ｚ０を中心とする周方向溝１５ｅと、撮影光軸Ｚ１と平行な３本のローラ嵌合溝１５ｆとが形成されている（図４、図１１）。相対回動案内突起１５ｄは、周方向に位置を異ならせて複数設けられている。ローラ嵌合溝１５ｆは、回転伝達突起１５ａに対応する周方向位置に形成されており、その後端部は、回転伝達突起１５ａを貫通して後方へ向け開口されている。また、ヘリコイド環１８の内周面には鏡筒中心軸Ｚ０を中心とする周方向溝１８ｇが形成されている（図４、図１０）。この第３外筒１５とヘリコイド環１８の結合体の内側には直進案内環１４が支持される。直進案内環１４の外周面には光軸方向の後方から順に、外径方向へ突出する３つの直進案内突起１４ａと、それぞれ周方向に位置を異ならせて複数設けた爪状の相対回動案内突起１４ｂ及び１４ｃと、鏡筒中心軸Ｚ０を中心とする周方向溝１４ｄとが形成されている（図４、図１２）。直進案内環１４は、直進案内突起１４ａを直進案内溝２２ｂに係合させることで、固定環２２に対し光軸方向に直進案内される。また第３外筒１５は、周方向溝１５ｅを相対回動案内突起１４ｃに係合させ、相対回動案内突起１５ｄを周方向溝１４ｄに係合させることで、直進案内環１４に対して相対回動可能に結合される。周方向溝１５ｅと相対回動案内突起１４ｃ、周方向溝１４ｄと相対回動案内突起１５ｄはそれぞれ、光軸方向には若干相対移動可能なように遊嵌している。さらにヘリコイド環１８も、周方向溝１８ｇを相対回動案内突起１４ｂに係合させることで、直進案内環１４に対して相対回動可能に結合される。周方向溝１８ｇと相対回動案内突起１４ｂは光軸方向には若干相対移動可能なように遊嵌している。
【００２７】
直進案内環１４には、内周面と外周面を貫通する３つのローラ案内貫通溝１４ｅが形成されている。各ローラ案内貫通溝１４ｅは、図１２に示すように、周方向へ向け形成された平行な前後の周方向溝部１４ｅ-１、１４ｅ-２と、この周方向溝部１４ｅ-１及び１４ｅ-２を接続するリード溝部１４ｅ-３とを有する。それぞれのローラ案内貫通溝１４ｅに対し、カム環１１の外周面に設けたカム環ローラ３２が嵌まっている。カム環ローラ３２は、ローラ固定ねじ３２ａを介してカム環１１に固定されており、周方向へ位置を異ならせて３つ設けられている。カム環ローラ３２はさらに、ローラ案内貫通溝１４ｅを貫通して第３外筒１５内周面のローラ嵌合溝１５ｆに嵌まっている。各ローラ嵌合溝１５ｆの前端部付近には、ローラ付勢ばね１７に設けた３つのローラ押圧片１７ａが嵌っている（図１１）。ローラ押圧片１７ａは、カム環ローラ３２が周方向溝部１４ｅ-１に係合するときに該カム環ローラ３２に当接して後方へ押圧し、カム環ローラ３２とローラ案内貫通溝１４ｅ（周方向溝部１４ｅ-１）との間のバックラッシュを取る。
【００２８】
以上の構造から、固定環２２からカム環１１までの繰り出しの態様が理解される。すなわち、ズームモータ１５０によってズームギヤ２８を鏡筒繰出方向に回転駆動すると、雌ヘリコイド２２ａと雄ヘリコイド１８ａの関係によってヘリコイド環１８が回転しながら前方に繰り出される。ヘリコイド環１８と第３外筒１５はそれぞれ、周方向溝１４ｄ、１５ｅ及び１８ｇと相対回動案内突起１５ｄ、１４ｃ及び１４ｂの係合関係によって、直進案内環１４に対して相対回動可能かつ回転軸方向（鏡筒中心軸Ｚ０に沿う方向）へは共に移動するように結合されているため、ヘリコイド環１８が回転繰出されると、第３外筒１５も同方向に回転しながら前方に繰り出され、直進案内環１４はヘリコイド環１８及び第３外筒１５と共に前方へ直進移動する。また、第３外筒１５の回転力はローラ嵌合溝１５ｆとカム環ローラ３２を介してカム環１１に伝達される。カム環ローラ３２はローラ案内貫通溝１４ｅにも嵌まっているため、直進案内環１４に対してカム環１１は、リード溝部１４ｅ-３の形状に従って回転しながら前方に繰り出される。前述の通り、直進案内環１４自体も第３外筒１５及びヘリコイド環１８と共に前方に直進移動しているため、結果としてカム環１１には、リード溝部１４ｅ-３に従う回転繰出分と、直進案内環１４の前方への直進移動分とを合わせた光軸方向移動量が与えられる。
【００２９】
以上の繰出動作は雄ヘリコイド１８ａと雌ヘリコイド２２ａが螺合している間行われ、このとき回転摺動突起１８ｂは斜行溝２２ｃ内を移動している。ヘリコイド環１８と第３外筒１５が所定量繰り出されると、雄ヘリコイド１８ａと雌ヘリコイド２２ａの螺合が解除されて、やがて回転摺動突起１８ｂと嵌合突起１５ｂが斜行溝２２ｃから回転摺動溝２２ｄ内へ入る。すると、ヘリコイドによる回転繰出力が作用しなくなるため、ヘリコイド環１８及び第３外筒１５は、回転摺動突起１８ｂ及び嵌合突起１５ｂと回転摺動溝２２ｄとの係合関係によって光軸方向の一定位置で回動のみを行うようになる。また、回転摺動突起１８ｂが斜行溝２２ｃから回転摺動溝２２ｄ内へ入るのとほぼ同時に、カム環ローラ３２はローラ案内貫通溝１４ｅの周方向溝部１４ｅ-１に入る。するとカム環１１に対しても前方への移動力が与えられなくなり、カム環１１は第３外筒１５の回転に応じて一定位置で回動のみ行うようになる。
【００３０】
ズームギヤ２８を鏡筒収納方向に回転駆動させると、以上と逆の動作が行われる。カム環ローラ３２がローラ案内貫通溝１４ｅの周方向溝部１４ｅ-２に入るまでヘリコイド環１８に回転を与えると、以上の各鏡筒部材が図７に示す位置まで後退する。
【００３１】
続いて、カム環１１より先の構造を説明する。直進案内環１４の内周面には、撮影光軸Ｚ１と平行な３つの第１直進案内溝１４ｆ及び６つの第２直進案内溝１４ｇが、それぞれ周方向に位置を異ならせて形成されている。第１直進案内溝１４ｆは、６つのうち３つの第２直進案内溝１４ｇの両側に位置する一対の溝部からなっており、この３つの第１直進案内溝１４ｆに対し、２群直進案内環１０に設けた３つの股状突起１０ａ（図３、図１５）が摺動可能に係合している。一方、第２直進案内溝１４ｇに対しては、第２外筒１３の後端部外周面に突設した６つの直進案内突起１３ａ（図２、図１７）が摺動可能に係合している。したがって、第２外筒１３と２群直進案内環１０はいずれも、直進案内環１４を介して光軸方向に直進案内されている。
【００３２】
２群直進案内環１０は、第２レンズ群ＬＧ２を支持する２群レンズ移動枠８を直進案内するための部材であり、第２外筒１３は、第１レンズ群ＬＧ１を支持する第１外筒１２を直進案内するための部材である。
【００３３】
まず第２レンズ群ＬＧ２の支持構造を説明する。２群直進案内環１０は、３つの股状突起１０ａを接続するリング部１０ｂから前方へ向けて、３つの直進案内キー１０ｃを突出させている（図３、図１５）。図６及び図７に示すように、リング部１０ｂの外縁部は、カム環１１の後端部内周面に形成した周方向溝１１ｅに対し相対回転は可能で光軸方向の相対移動は不能に係合しており、直進案内キー１０ｃはカム環１１の内側に延出されている。各直進案内キー１０ｃは、撮影光軸Ｚ１と平行な一対のガイド面を側面に有しており、このガイド面を、カム環１１の内側に支持された２群レンズ移動枠８の直進案内溝８ａに係合させることによって、２群レンズ移動枠８を軸方向に直進案内している。直進案内溝８ａは、２群レンズ移動枠８の外周面側に形成されている。
【００３４】
なお、２群直進案内環１０には周方向に位置を異ならせて直進案内キー１０ｃが３つ設けられているが、そのうちひとつの直進案内キー１０ｃ-Ｗは、後述する露出制御用のＦＰＣ（フレキシブルプリント回路）基板７７の支持部材を兼ねるために、残る２つの直進案内キー１０ｃよりも周方向に幅広になっている。幅広の直進案内キー１０ｃ-Ｗには、リング部１０ｂとの接続部分近傍を一部切り欠いて径方向へ貫通するＦＰＣ通し孔１０ｄが形成されており、図６に示すように、露出制御ＦＰＣ基板７７は、該ＦＰＣ通し孔１０ｄを通してリング部１０ｂの後方から直進案内キー１０ｃ-Ｗの外周面側へ延出され、直進案内キー１０ｃ-Ｗの先端部で後方に折り曲げられている。これに対応して、３つの直進案内溝８ａのうちひとつは、幅広の直進案内キー１０ｃ-Ｗが係合可能な幅広の直進案内溝８ａ-Ｗとなっている。該直進案内溝８ａ-Ｗの中央部は、露出制御ＦＰＣ基板７７を通すことが可能な貫通部になっており、この貫通部の両側に直進案内キー１０ｃ-Ｗを支持するための有底部が形成されている。これに対し、残る２つの直進案内溝８ａはいずれも、２群レンズ移動枠８の外周面側に形成された有底溝となっている。２群レンズ移動枠８と２群直進案内環１０は、直進案内キー１０ｃ-Ｗが直進案内溝８ａ-Ｗに係合可能な特定の回転位相でのみ組み合わせることができる。
【００３５】
カム環１１の内周面には２群案内カム溝１１ａが形成されている。図１４に示すように、２群案内カム溝１１ａは、光軸方向及び周方向に位置を異ならせた前方カム溝１１ａ-１と後方カム溝１１ａ-２からなっている。前方カム溝１１ａ-１と後方カム溝１１ａ-２はいずれも、同形状の基礎軌跡αをトレースして形成されたカム溝であるが、それぞれが基礎軌跡α全域をカバーしているのではなく、前方カム溝１１ａ-１と後方カム溝１１ａ-２では基礎軌跡α上に占める領域の一部が異なっている。基礎軌跡とは、ズーム領域及び収納用領域を含む全ての鏡筒使用領域（使用領域）と、鏡筒の組立分解用領域とを含む概念上のカム溝形状である。つまり、鏡筒使用領域とはこのカム溝形状によって２群レンズ移動枠８の移動が制御されうる領域のことであり、組立分解領域と区別する意味で用いられている。また、ズーム領域とは、鏡筒使用領域の中でも特にワイド端とテレ端の間の移動を制御するための領域であり、収納用領域と区別する意味で用いられている。カム環１１には、一対の前方カム溝１１ａ-１と後方カム溝１１ａ-２を１グループとした場合、周方向に等間隔で３グループの２群案内カム溝１１ａが形成されている。
【００３６】
２群案内カム溝１１ａに対して、２群レンズ移動枠８の外周面に設けた２群用カムフォロア８ｂが係合している。２群案内カム溝１１ａと同様に２群用カムフォロア８ｂも、光軸方向及び周方向に位置を異ならせた一対の前方カムフォロア８ｂ-１と後方カムフォロア８ｂ-２を１グループとして周方向に等間隔で３グループが設けられており、各前方カムフォロア８ｂ-１は前方カム溝１１ａ-１に係合し、各後方カムフォロア８ｂ-２は後方カム溝１１ａ-２に係合するように光軸方向及び周方向の間隔が定められている。
【００３７】
２群レンズ移動枠８は２群直進案内環１０を介して光軸方向に直進案内されているため、カム環１１が回転すると、２群案内カム溝１１ａに従って、２群レンズ移動枠８が光軸方向へ所定の軌跡で移動する。
【００３８】
２群レンズ移動枠８の内側には、第２レンズ群ＬＧ２を保持する２群レンズ枠６が支持されている。２群レンズ枠６は、一対の２群レンズ枠支持板３６、３７に対し、２群回動軸３３を介して軸支されており、２群枠支持板３６、３７が支持板固定ビス６６によって２群レンズ移動枠８に固定されている。２群回動軸３３は撮影光軸Ｚ１と平行でかつ撮影光軸Ｚ１に対して偏心しており、２群レンズ枠６は、２群回動軸３３を回動中心として、第２レンズ群ＬＧ２の光軸を撮影光軸Ｚ１と一致させる撮影用位置（図６）と、第２レンズ群ＬＧ２の光軸を撮影光軸Ｚ１から偏心した退避光軸Ｚ２へと変位させる収納用退避位置（図７）とに回動することができる。２群レンズ移動枠８には、２群レンズ枠６を上記撮影用位置で回動規制する回動規制ピン３５が設けられていて、２群レンズ枠６は、２群レンズ枠戻しばね３９によって該回動規制ピン３５との当接方向へ回動付勢されている。軸方向押圧ばね３８は、２群レンズ枠６の光軸方向のバックラッシュ取りを行う。
【００３９】
２群レンズ枠６は、光軸方向には２群レンズ移動枠８と一体に移動する。ＣＣＤホルダ２１には２群レンズ枠６に係合可能な位置にカム突起２１ａ（図４）が前方に向けて突設されており、図７のように２群レンズ移動枠８が収納方向に移動してＣＣＤホルダ２１に接近すると、該カム突起２１ａの先端部に形成したカム面が、２群レンズ枠６に係合して上記の収納用退避位置に回動させる。
【００４０】
続いて第１レンズ群ＬＧ１の支持構造を説明する。直進案内環１４を介して光軸方向に直進案内された第２外筒１３の内周面には、周方向に位置を異ならせて３つの直進案内溝１３ｂが光軸方向へ形成されており、各直進案内溝１３ｂに対し、第１外筒１２の後端部付近の外周面に形成した３つの係合突起１２ａが摺動可能に嵌合している（図２、図１７及び図１８参照）。すなわち、第１外筒１２は、直進案内環１４と第２外筒１３を介して光軸方向に直進案内されている。また、第２外筒１３は後端部付近の内周面に、周方向へ向かう内径フランジ１３ｃを有し、この内径フランジ１３ｃがカム環１１の外周面に設けた周方向溝１１ｃに摺動可能に係合することで、第２外筒１３は、カム環１１に対して相対回転可能かつ光軸方向の相対移動は不能に結合されている。一方、第１外筒１２は、内径方向に突出する３つの１群用ローラ（カムフォロア）３１を有し、それぞれの１群用ローラ３１が、カム環１１の外周面に３本形成した１群案内カム溝１１ｂに摺動可能に嵌合している。
【００４１】
第１外筒１２内には、１群調整環２を介して１群レンズ枠１が支持されている。１群レンズ枠１には第１レンズ群ＬＧ１が固定され、その外周面に形成した雄調整ねじ１ａが、１群調整環２の内周面に形成した雌調整ねじ２ａに螺合している。この調整ねじの螺合位置を調整することよって、１群レンズ枠１は１群調整環２に対して光軸方向に位置調整可能となっている。
【００４２】
１群調整環２は外径方向に突出する一対の（図２には一つのみを図示）ガイド突起２ｂを有し、この一対のガイド突起２ｂが、第１外筒１２の内周面側に形成した一対の１群調整環ガイド溝１２ｂに摺動可能に係合している。１群調整環ガイド溝１２ｂは撮影光軸Ｚ１と平行に形成されており、該１群調整環ガイド溝１２ｂとガイド突起２ｂの係合関係によって、１群調整環２と１群レンズ枠１の結合体は、第１外筒１２に対して光軸方向の前後移動が可能になっている。第１外筒１２にはさらに、ガイド突起２ｂの前方を塞ぐように、１群抜止環３が抜止環固定ビス６４によって固定されている。１群抜止環３のばね受け部３ａとガイド突起２ｂとの間には、圧縮コイルばねからなる１群付勢ばね２４が設けられ、該１群付勢ばね２４によって１群調整環２は光軸方向後方に付勢されている。１群調整環２は、その前端部付近の外周面に突設した係合爪２ｃを、１群抜止環３の前面（図２に見えている側の面）に係合させることによって、第１外筒１２に対する光軸方向後方への最大移動位置が規制される（図６の上半断面参照）。一方、１群付勢ばね２４を圧縮させることによって、１群調整環２は光軸方向前方に若干量移動することができる。
【００４３】
第１レンズ群ＬＧ１と第２レンズ群ＬＧ２の間には、シャッタＳと絞りＡを有するシャッタユニット７６が支持されている。シャッタユニット７６は、２群レンズ移動枠８の内側に支持されており、シャッタＳと絞りＡは、第２レンズ群ＬＧ２との空気間隔が固定となっている。シャッタユニット７６を挟んだ前後位置には、シャッタＳと絞りＡを駆動する２つのアクチュエータ１３１、１３２（図１９）が、それぞれ一つずつ配置されており、シャッタユニット７６からはこれらアクチュエータをカメラの制御回路１４０と接続するための露出制御ＦＰＣ基板７７が延出されている。なお、露出制御ＦＰＣ基板７７は、実際には図６における下半断面（ワイド端）の位置には存在しないが、他の部材との位置関係を分かりやすくするために図示している。
【００４４】
第１外筒１２の前端部には、シャッタＳとは別に、非撮影時に撮影開口を閉じて撮影光学系（第１レンズ群ＬＧ１）を保護するためのレンズバリヤ機構が設けられる。レンズバリヤ機構は、鏡筒中心軸Ｚ０に対して偏心した位置に設けた回動軸を中心として回動可能な一対のバリヤ羽根１０４及び１０５と、該バリヤ羽根１０４、１０５を閉じ方向に付勢する一対のバリヤ付勢ばね１０６と、鏡筒中心軸Ｚ０を中心として回動可能で所定方向の回動によってバリヤ羽根１０４、１０５に係合して開かせるバリヤ駆動環１０３と、該バリヤ駆動環１０３をバリヤ開放方向に回動付勢するバリヤ駆動環付勢ばね１０７と、バリヤ羽根１０４、１０５とバリヤ駆動環１０３の間に位置するバリヤ押さえ板１０２とを備えている。バリヤ駆動環付勢ばね１０７の付勢力はバリヤ付勢ばね１０６の付勢力よりも強く設定されており、ズームレンズ鏡筒７１がズーム領域（図６）に繰り出されているときには、バリヤ駆動環付勢ばね１０７がバリヤ駆動環１０３をバリヤ開放用の角度位置に保持して、バリヤ付勢ばね１０６に抗してバリヤ羽根１０４、１０５が開かれる。そしてズームレンズ鏡筒７１がズーム領域から収納位置（図７）へ移動する途中で、カム環１１のバリヤ駆動環押圧面１１ｄ（図３、図１３）がバリヤ駆動環１０３をバリヤ開放方向と反対方向に強制回動させ、バリヤ駆動環１０３がバリヤ羽根１０４、１０５に対する係合を解除して、該バリヤ羽根１０４、１０５がバリヤ付勢ばね１０６の付勢力によって閉じられる。レンズバリヤ機構の前部は、バリヤカバー１０１（化粧板）によって覆われている。
【００４５】
以上の構造のズームレンズ鏡筒７１の全体的な繰出及び収納動作を、図６、図７及び図１９を参照して説明する。図１９は、ズームレンズ鏡筒７１の主要な部材の関係を概念的に示したものであり、各部材の符号の後の括弧内の「Ｓ」は固定部材、「Ｌ」は光軸方向の直線移動のみ行う部材、「Ｒ」は回転のみ行う部材、「ＲＬ」は回転しながら光軸方向に移動する部材であることをそれぞれ意味している。また、括弧内に二つの記号が併記されている部材は、繰出時及び収納時にその動作態様が切り換わることを意味している。
【００４６】
カム環１１が収納位置から定位置回転状態に繰り出される段階までは既に説明しているので簡潔に述べる。図７の鏡筒収納状態では、ズームレンズ鏡筒７１はカメラボディ７２内に完全に格納されており、カメラ７０の前面は、カメラボディ７２からズームレンズ鏡筒７１が突出しないフラット形状になっている。この鏡筒収納状態からズームモータ１５０によりズームギヤ２８を繰出方向に回転駆動させると、ヘリコイド環１８と第３外筒１５の結合体がヘリコイド（雄ヘリコイド１８ａ、雌ヘリコイド２２ａ）に従って回転繰出される。直進案内環１４は、第３外筒１５及びヘリコイド環１８と共に前方に直進移動する。このとき、第３外筒１５により回転力が付与されるカム環１１は、直進案内環１４の前方への直進移動分と、該直進案内環１４との間に設けたリード構造（カム環ローラ３２、リード溝部１４ｅ-３）による繰出分との合成移動を行う。ヘリコイド環１８とカム環１１が前方の所定位置まで繰り出されると、それぞれの回転繰出構造（ヘリコイド、リード）の機能が解除されて、鏡筒中心軸Ｚ０を中心とした周方向回転のみを行うようになる。
【００４７】
カム環１１が回転すると、その内側では、２群直進案内環１０を介して直進案内された２群レンズ移動枠８が、２群用カムフォロア８ｂと２群案内カム溝１１ａの関係によって光軸方向に所定の軌跡で移動される。図７の鏡筒収納状態では、２群レンズ移動枠８内の２群レンズ枠６は、ＣＣＤホルダ２１に突設したカム突起２１ａの作用によって撮影光軸Ｚ１から上方へ偏心した収納用退避位置に保持されており、第２レンズ群ＬＧ２が退避光軸Ｚ２位置にあった。そして、２群レンズ枠６は、２群レンズ移動枠８がズーム領域まで繰り出される途中でカム突起２１ａから離れて、２群レンズ枠戻しばね３９の付勢力によって第２レンズ群ＬＧ２の光軸を撮影光軸Ｚ１と一致させる撮影用位置（図６）に回動する。以後、ズームレンズ鏡筒７１を再び収納位置に移動させるまでは、２群レンズ枠６は撮影用位置に保持される。
【００４８】
また、カム環１１が回転すると、該カム環１１の外側では、第２外筒１３を介して直進案内された第１外筒１２が、１群用ローラ３１と１群案内カム溝１１ｂの関係によって光軸方向に所定の軌跡で移動される。
【００４９】
すなわち、撮像面（ＣＣＤ受光面）に対する第１レンズ群ＬＧ１と第２レンズ群ＬＧ２の繰出位置はそれぞれ、前者が、固定環２２に対するカム環１１の前方移動量と、該カム環１１に対する第１外筒１２のカム繰出量との合算値として決まり、後者が、固定環２２に対するカム環１１の前方移動量と、該カム環１１に対する２群レンズ移動枠８のカム繰出量との合算値として決まる。ズーミングは、この第１レンズ群ＬＧ１と第２レンズ群ＬＧ２が互いの空気間隔を変化させながら撮影光軸Ｚ１上を移動することにより行われる。図７の収納位置から鏡筒繰出を行うと、まず図６の下半断面に示すワイド端の繰出状態になり、さらにズームモータ１５０を鏡筒繰出方向に駆動させると、同図の上半断面に示すテレ端の繰出状態となる。図６から分かるように、本実施形態のズームレンズ鏡筒７１は、ワイド端では第１レンズ群ＬＧ１と第２レンズ群ＬＧ２の間隔が大きく、テレ端では、第１レンズ群ＬＧ１と第２レンズ群ＬＧ２が互いの接近方向に移動して間隔が小さくなる。このような第１レンズ群ＬＧ１と第２レンズ群ＬＧ２の空気間隔の変化は、２群案内カム溝１１ａと１群案内カム溝１１ｂの軌跡によって与えられるものである。このテレ端とワイド端の間のズーム領域（ズーミング使用領域）では、カム環１１、第３外筒１５及びヘリコイド環１８は、前述の定位置回転のみを行い、光軸方向へは進退しない。
【００５０】
ズーム領域では、被写体距離に応じてＡＦモータ１６０を駆動することにより、第３レンズ群ＬＧ３（ＡＦレンズ枠５１）が撮影光軸Ｚ１に沿って移動してフォーカシングがなされる。
【００５１】
ズームモータ１５０を鏡筒収納方向に駆動させると、ズームレンズ鏡筒７１は、前述の繰り出し時とは逆の収納動作を行い、カメラボディ７２の内部に完全に格納される収納位置（図７）まで移動される。この収納位置への移動の途中で、２群レンズ枠６がカム突起２１ａによって収納用退避位置に回動され、２群レンズ移動枠８と共に後退する。ズームレンズ鏡筒７１が収納位置まで移動されると、第２レンズ群ＬＧ２は、光軸方向において第３レンズ群ＬＧ３やローパスフィルタＬＧ４と同位置に格納される（鏡筒の径方向に重なる）。この収納時の第２レンズ群ＬＧ２の退避構造によってズームレンズ鏡筒７１の収納長が短くなり、図７の左右方向におけるカメラボディ７２の厚みを小さくすることが可能となっている。
【００５２】
デジタルカメラ７０は、ズームレンズ鏡筒７１に連動するズームファインダを備えている。ズームファインダは、ファインダギヤ３０をスパーギヤ部１８ｃに噛合させてヘリコイド環１８から動力を得ており、該ヘリコイド環１８がズーム領域において前述の定位置回転を行うと、その回転力を受けてファインダギヤ３０が回転する。ファインダ光学系は、対物窓８１ａ、第１の可動変倍レンズ８１ｂ、第２の可動変倍レンズ８１ｃ、プリズム８１ｄ、接眼レンズ８１ｅ、接眼窓８１ｆを有し、第１と第２の可動変倍レンズ８１ｂ、８１ｃをファインダ対物系の光軸Ｚ３に沿って所定の軌跡で移動させることで変倍を行う。ファインダ対物系の光軸Ｚ３は、撮影光軸Ｚ１と平行である。可動変倍レンズ８１ｂ及び８１ｃの保持枠８３、８４は、ガイドシャフト８５、８６（図６及び図７では重なって一本に見えている）によって光軸Ｚ３方向に移動可能に直進案内され、かつ光軸Ｚ３と平行な回動中心軸で回動可能なカムギヤ９０（図５）によって移動力が与えられるようになっている。このカムギヤ９０とファインダギヤ３０の間に減速ギヤ列が設けられており、ファインダギヤ３０が回転するとカムギヤ９０が回転され、その結果として可動変倍レンズ８１ｂ、８１ｃが進退する。以上のズームファインダの構成要素は、図５に示すファインダユニット８０としてサブアッシされ、固定環２２の上部に取り付けられる。
【００５３】
［本発明の特徴部分の説明］
ズームレンズ鏡筒７１において、第１レンズ群（第１の光学要素、可動レンズ群）ＬＧ１を支持する第1外筒（外側可動環）１２と第２レンズ群（第２の光学要素、可動レンズ群）ＬＧ２を支持する２群レンズ移動枠（内側可動環）８とをそれぞれ光軸方向へ直進案内するための直進案内構造の断面図を、図２０ないし図２２に示した。図２０がワイド端、図２１がテレ端、図２２が収納状態である。これらの断面図では、直進案内に関係する部材にのみハッチングを付しているが、回転部材のうちカム環１１のみは視認しやすくするために破線のハッチングを付している、また図中には、実際には周方向の異なる位置にあるが、作図上、同一断面上に表している箇所もある。
【００５４】
図２０ないし図２２から分かるように、カム環１１は、第１外筒１２に所定の移動軌跡を与えるための１群案内カム溝１１ｂを外周面に有し、２群レンズ移動枠８に所定の移動軌跡を与えるための２群案内カム溝１１ａを内周面に有する両面カム溝タイプのカム環である。これに応じて第１外筒１２は鏡筒の径方向においてカム環１１の外側に位置し、２群レンズ移動枠８はカム環１１の内側に位置している。一方、第１外筒１２と２群レンズ移動枠８を直進案内するための直進案内環（共用直進案内環）１４は、カム環１１の外側に位置している。
【００５５】
本実施形態では、このような位置関係にある直進案内環１４、第１外筒１２及び２群レンズ移動枠８の間の直進案内構造として、第１外筒１２用の直進案内部材である第２外筒（第１の直進案内環、第１の直進案内伝達部材）１３と、２群レンズ移動枠８用の直進案内部材である２群直進案内環（第２の直進案内環、第２の直進案内伝達部材）１０の両方を直進案内環１４に直接ガイドさせている。第２外筒１３は、径方向においてカム環１１と直進案内環１４の間に位置しており、その外周面に設けた６つの直進案内突起１３ａを各々対応する第１直進案内溝（直進案内部、第２の直進案内溝）１４ｆに係合させて直進案内環１４による直進案内を受け、内周面に３箇所形成した直進案内溝１３ｂのそれぞれに係合突起（直進案内突起）１２ａを係合させることで第１外筒１２に対する直進案内を行っている。一方、２群直進案内環１０は、カム環１１の外側に位置する直進案内環１４からカム環１１の内側に位置する２群レンズ移動枠８に直進案内を受け渡すために、リング部１０ｂをカム環１１の後方に位置させ、該リング部１０ｂから外径方向に向けて第２直進案内溝（直進案内部、第１の直進案内溝）１４ｇに係合する３つの股状突起（直進案内突起）１０ａを延出し、該リング部１０ｂの内径から光軸方向前方に向けて、直進案内溝８ａに係合する３つの直進案内キー１０ｃを延出させている。
【００５６】
本実施形態と同様の条件、すなわち両面カム溝タイプのカム環（１１）の外側と内側にそれぞれ直進案内を受ける２つの可動要素（第１外筒１２、２群レンズ移動枠８）があり、かつ基準となる直進案内部材（直進案内環１４）がカム環の外側にあるような場合に、従来のレンズ鏡筒では、基準となる直進案内部材に直進案内されるサブの直進案内部材（本実施形態の第２外筒１３に相当）をカム環の外側に設け、この外側のサブの直進案内部材により直進案内される可動要素（第１外筒１２に相当）に、カム環内側の可動要素（２群レンズ移動枠８に相当）を直進案内するための直進案内部を設けていた。換言すれば、カム環の外側から内側へ、単一の経路で直進案内が受け渡される構造になっていた。このような直進案内構造では、カム環外側の可動要素と内側の可動要素の光軸方向における相対移動スピードが速い場合に、直進案内のための抵抗が大きくなるおそれがあった。また、カム環の内側に位置する可動要素の直進案内は、外側の可動要素を介していわば間接的に行われるので、特にカム環内側の可動要素を高精度に直進案内することが難しかった。
【００５７】
これに対し、本実施形態のズームレンズ鏡筒７１では、カム環外側の第１外筒１２を直進案内するための第２外筒１３と、カム環内側の２群レンズ移動枠８を直進案内するための２群直進案内環１０の両方を直進案内環１４の直進案内溝１４ｆ、１４ｇに係合させ、両者が共通の直進案内環１４から直接に直進案内を受けるような内外２系統の分岐状の直進案内構造としたので、以上のような不具合を回避することができる。また、２群直進案内環１０と第２外筒１３という２つの部材に対して同時に直進案内を与える直進案内環１４は、逆に、その直進案内用の係合関係によって２群直進案内環１０と第２外筒１３の２部材から補強を受けていることにもなり、強度を確保しやすくなっている。特に、直進案内環１４は、径方向に貫通するローラ案内貫通溝１４ｅを有している関係上、径サイズに比して実際の周面積が小さい部材であるので、このように直進案内構造を利用して強度を確保することが効果的である。
【００５８】
また、直進案内環１４において、２群直進案内環１０を直進案内するための第１直進案内溝１４ｆと第２外筒１３を直進案内するための第２直進案内溝１４ｇはそれぞれ周方向に位置を異ならせて設けられているが、それぞれの第１直進案内溝１４ｆは、第２直進案内溝１４ｇの両側に隣接される一対の平行溝として形成されている。つまり、各第１直進案内溝１４ｆは、第２直進案内溝１４ｇの両側壁部を利用して形成されている。このようにすることにより直進案内部の構造が簡略化され、直進案内環１４単体としての強度も損なわれにくくなっている。
【００５９】
以上、図示実施形態に基づき本発明を説明したが、本発明はこの実施形態に限定されるものではない。例えば、図示実施形態では、２群直進案内環１０と第２外筒１３を直進案内するための第２直進案内溝１４ｇと第１直進案内溝１４ｆを別の溝部としているが、共通の直進案内溝によって２つの直進案内環の直進案内を行うことも可能である。
【００６０】
また、直進案内構造における係合部分の形状は、任意に設定することができる。例えば、実施形態における２群直進案内環１０の股状突起１０ａは、２群直進案内環１０全体として見た場合にはリング部１０ｂから外径方向に突出する凸部であるが、該股状突起１０ａの先端部はその中央が凹状になっている。これに対応して、股状突起１０ａが係合する直進案内環１４側では、第１直進案内溝１４ｆを個別に見れば凹状溝であるが、図２５に表れているように、股状突起１０ａの先端凹部に係合する台形断面状の凸状のレール部が一対の第１直進案内溝１４ｆの間に形成されているとみなすこともできる。つまり、直進案内環１４の内周面に形成する直進案内部は、溝状であってもよいし凸レール状であってもよい。
【００６１】
また、本発明は特にカム環１１のような両面カム環を有するレンズ鏡筒に好適であるが、カム環の有無、あるいはカム環の具体的配置や態様を問うものではない。
【図面の簡単な説明】
【００６２】
【図１】本発明を適用したズームレンズ鏡筒の分解斜視図である。
【図２】図１のズームレンズ鏡筒における、第１レンズ群の支持機構に関する要素の分解斜視図である。
【図３】図１のズームレンズ鏡筒における、第２レンズ群の支持機構に関する要素の分解斜視図である。
【図４】図１のズームレンズ鏡筒における、固定環から第３外筒までの繰出機構に関する要素の分解斜視図である。
【図５】図１のズームレンズ鏡筒に、ズームモータとファインダユニットを加えた完成状態の斜視図である。
【図６】本発明を適用したズームレンズ鏡筒を搭載したカメラの、ワイド端とテレ端の使用状態を示す縦断面図である。
【図７】同カメラの鏡筒収納状態の縦断面図である。
【図８】固定環の展開平面図である。
【図９】ヘリコイド環の展開平面図である。
【図１０】ヘリコイド環の内周面側の構成要素を透視して示す展開平面図である。
【図１１】第３外筒の展開平面図である。
【図１２】直進案内環の展開平面図である。
【図１３】カム環の展開平面図である。
【図１４】カム環の内周面側の２群案内カム溝を透視して示す展開平面図である。
【図１５】直進案内環の展開平面図である。
【図１６】２群レンズ移動枠の展開平面図である。
【図１７】第２外筒の展開平面図である。
【図１８】第１外筒の展開平面図である。
【図１９】本実施形態のズームレンズ鏡筒の主要な構成要素の動作関係を概念的に示す図である。
【図２０】本実施形態のズームレンズ鏡筒のワイド端における直進案内構造を示す上半断面図である。
【図２１】ズームレンズ鏡筒のテレ端における直進案内構造を示す上半断面図である。
【図２２】ズームレンズ鏡筒の収納状態における直進案内構造を示す上半断面図である。
【図２３】カム環を挟んで位置する第１外筒と２群直進案内環の関係を示す、直進案内環を取り外して斜め前方から見た斜視図である。
【図２４】図２３に直進案内環を追加して第１外筒を鏡筒分解位置まで繰り出した状態を示す、斜め前方から見た斜視図である。
【図２５】図２３の状態を斜め後方から見た斜視図である。
【符号の説明】
【００６３】
Ａ  絞り
ＬＧ１  第１レンズ群（第１の光学要素、可動レンズ群）
ＬＧ２  第２レンズ群（第２の光学要素、可動レンズ群）
ＬＧ３  第３レンズ群
ＬＧ４  ローパスフィルタ
Ｓ  シャッタ
Ｚ０  鏡筒中心軸
Ｚ１  撮影光軸
Ｚ２  退避光軸
Ｚ３  ファインダ対物系の光軸
１  １群レンズ枠
１ａ  雄調整ねじ
２  １群調整環
２ａ  雌調整ねじ
２ｂ  ガイド突起
２ｃ  係合爪
３  １群抜止環
３ａ  ばね受け部
６  ２群レンズ枠
８  ２群レンズ移動枠（内側可動環）
８ａ  直進案内溝
８ｂ  ２群用カムフォロア
８ｂ-１  前方カムフォロア
８ｂ-２  後方カムフォロア
１０  ２群直進案内環（第２の直進案内環、第２の直進案内伝達部材）
１０ａ  股状突起（直進案内突起）
１０ｂ  リング部
１０ｃ  直進案内キー
１１  カム環（両面カム環）
１１ａ  ２群案内カム溝
１１ａ-１  前方カム溝
１１ａ-２  後方カム溝
１１ｂ  １群案内カム溝
１１ｃ  １１ｅ  周方向溝
１１ｄ  バリヤ駆動環押圧面
１２  第１外筒（外側可動環）
１２ａ  係合突起（直進案内突起）
１２ｂ  １群調整環ガイド溝
１３  第２外筒（第１の直進案内環、第１の直進案内伝達部材）
１３ａ  直進案内突起
１３ｂ  直進案内溝
１３ｃ  内径フランジ
１４  直進案内環
１４ａ  直進案内突起
１４ｂ  相対回動案内突起
１４ｃ  相対回動案内突起
１４ｄ  周方向溝
１４ｅ  ローラ案内貫通溝
１４ｅ-１  周方向溝部
１４ｅ-２  周方向溝部
１４ｅ-３  リード溝部
１４ｆ  第１直進案内溝（直進案内部、第２の直進案内溝）
１４ｇ  第２直進案内溝（直進案内部、第１の直進案内溝）
１５  第３外筒
１５ａ  回転伝達突起
１５ｂ  嵌合突起
１５ｃ  ばね当付凹部
１５ｄ  相対回動案内突起
１５ｅ  周方向溝
１５ｆ  ローラ嵌合溝
１７  ローラ付勢ばね
１７ａ  ローラ押圧片
１８  ヘリコイド環
１８ａ  雄ヘリコイド
１８ｂ  回転摺動突起
１８ｃ  スパーギヤ部
１８ｄ  回転伝達凹部
１８ｅ  嵌合凹部
１８ｆ  ばね挿入凹部
１８ｇ  周方向溝
２１  ＣＣＤホルダ
２１ａ  カム突起
２２  固定環
２２ａ  雌ヘリコイド
２２ｂ  直進案内溝
２２ｃ  斜行溝
２２ｄ  回転摺動溝
２２ｅ  ストッパ挿脱孔
２２ｚ  前方環状領域
２４  １群付勢ばね
２５  離間方向付勢ばね
２６  分解ストッパ
２８  ズームギヤ
２９  ズームギヤ軸
３０  ファインダギヤ
３１  １群用ローラ
３２  カム環ローラ
３２ａ  ローラ固定ねじ
３３  ２群回動軸
３５  回動規制ピン
３６  ３７  ２群レンズ枠支持板
３８  軸方向押圧ばね
３９  ２群レンズ枠戻しばね
５１  ＡＦレンズ枠（３群レンズ枠）
５２  ５３  ＡＦガイド軸
５４  ＡＦナット
５５  ＡＦ枠付勢ばね
６０  ＣＣＤ（固体撮像素子）
６１  パッキン
６２  ＣＣＤベース板
６４  抜止環固定ビス
６６  支持板固定ビス
７０  デジタルカメラ
７１  ズームレンズ鏡筒
７２  カメラボディ
７３  フィルタホルダ
７４  減速ギヤボックス
７５  レンズ駆動制御ＦＰＣ基板
７６  シャッタユニット
７７  露出制御ＦＰＣ基板
８０  ファインダユニット
８１ａ  対物窓
８１ｂ  ８１ｃ  可動変倍レンズ
８１ｄ  プリズム
８１ｅ  接眼レンズ
８１ｆ  接眼窓
８３  ８４  保持枠
８５  ８６  ガイドシャフト
９０  カムギヤ
１０１  バリヤカバー
１０２  バリヤ押さえ板
１０３  バリヤ駆動環
１０４  １０５  バリヤ羽根
１０６  バリヤ付勢ばね
１０７  バリヤ駆動環付勢ばね
１４０  制御回路
１５０  ズームモータ
１６０  ＡＦモータ
【図１】
2004258636.tif 000003
【図２】
2004258636.tif 000004
【図３】
2004258636.tif 000005
【図４】
2004258636.tif 000006
【図５】
2004258636.tif 000007
【図６】
2004258636.tif 000008
【図７】
2004258636.tif 000009
【図８】
2004258636.tif 000010
【図９】
2004258636.tif 000011
【図１０】
2004258636.tif 000012
【図１１】
2004258636.tif 000013
【図１２】
2004258636.tif 000014
【図１３】
2004258636.tif 000015
【図１４】
2004258636.tif 000016
【図１５】
2004258636.tif 000017
【図１６】
2004258636.tif 000018
【図１７】
2004258636.tif 000019
【図１８】
2004258636.tif 000020
【図１９】
2004258636.tif 000021
【図２０】
2004258636.tif 000022
【図２１】
2004258636.tif 000023
【図２２】
2004258636.tif 000024
【図２３】
2004258636.tif 000025
【図２４】
2004258636.tif 000026
【図２５】
2004258636.tif 000027